(57)【要約】【課題】清掃シートが清掃ヘッドから外れにくい、清掃具用の清掃ヘッドを提供すること。【解決手段】清掃シート３１を保持可能な、清掃具１用の清掃ヘッド３であって、清掃ヘッド３が、第１清掃面１１３及び第２清掃面１１５を有する板状の形状を有し、お互いに直交する、長手方向Ｌ、短手方向Ｓ及び厚さ方向Ｔを有し、清掃ヘッド３が、清掃シート３１の一方の端部３３及び他方の端部３５の少なくとも一方を挟持する挟持部１２３であって、展開形態及び閉鎖形態をとることができるように構成されたものを備えていることを特徴とする清掃ヘッド３。【選択図】図１０
2020075074.tif 000002
【特許請求の範囲】
【請求項１】
清掃シートを保持可能な、清掃具用の清掃ヘッドであって、
前記清掃ヘッドが、第１清掃面及び第２清掃面を有する板状の形状を有し、お互いに直交する、長手方向、短手方向及び厚さ方向を有し、
前記清掃ヘッドが、前記清掃シートの一方の端部及び他方の端部の少なくとも一方を挟持する挟持部であって、展開形態及び閉鎖形態をとることができるように構成されたものを備えている、
ことを特徴とする、前記清掃ヘッド。
【請求項２】
前記挟持部が、第１挟持部分と、第２挟持部分とを備えており、
第１挟持部分及び第２挟持部分が、前記長手方向に沿う方向に延びている挟持部回転軸を有する回転端により回転可能に連結されているとともに、前記長手方向に沿う方向に延びている開閉端により開閉可能に連結されている、請求項１に記載の清掃ヘッド。
【請求項３】
前記開閉端が、前記清掃ヘッドの前記短手方向の端部に配置されている、請求項２に記載の清掃ヘッド。
【請求項４】
前記回転端が、前記清掃ヘッドの前記短手方向の端部に配置されている、請求項２又は３に記載の清掃ヘッド。
【請求項５】
前記清掃ヘッドが、前記長手方向の一方又は両方の端部に、前記挟持部を展開するための窪み部であって、第１挟持部分及び第２挟持部分に渡って存在するものを備えている、請求項２〜４のいずれか一項に記載の清掃ヘッド。
【請求項６】
第１挟持部分が、第１外面及び第１内面を備えているとともに、第２挟持部分が、第２外面及び第２内面を備えており、
第１挟持部分が、第１外面を構成する第１軟質部材と、第１内面を構成する第１硬質部材とを備えているとともに、第２挟持部分が、第２外面を構成する第２軟質部材と、第２内面を構成する第２硬質部材とを備えており、
前記窪み部の底部が、少なくとも第１硬質部材及び第２硬質部材から構成されている、
請求項５に記載の清掃ヘッド。
【請求項７】
第１挟持部分が、第１内面及び第１外面を備えているとともに、第２挟持部分が、第２内面及び第２外面を備えており、
第１内面及び第２内面が、それぞれ、前記清掃シートの前記一方の端部を保持するための第１スリット部と、前記清掃シートの前記他方の端部を保持するための第２スリット部とを有している、
請求項２〜６のいずれか一項に記載の清掃ヘッド。
【請求項８】
第１内面が、前記清掃シートを保持するように構成されている、第１凸部及び第１凹部を備えており、
第２内面が、前記清掃シートを保持するように構成されている、第１凸部及び第１凹部にそれぞれ対応する第２凹部及び第２凸部を備えている、
請求項７に記載の清掃ヘッド。
【請求項９】
第１スリット部及び第２スリット部が、それぞれ、第１凸部及び第２凸部に配置されている、請求項８に記載の清掃ヘッド。
【請求項１０】
第１外面及び第２外面が、それぞれ、第１清掃面及び第２清掃面を構成している、請求項６〜９のいずれか一項に記載の清掃ヘッド。
【請求項１１】
第１挟持部分及び第２挟持部分が、それぞれ、前記挟持部の前記閉鎖形態を保持するように構成された、お互いに嵌合する、嵌合用突起及び嵌合用窪みを備えており、
前記嵌合用突起が、前記長手方向に向かって突出しているとともに、前記長手方向に伸縮可能で有り、そして
嵌合用窪みが、前記長手方向に向かって窪んでいる、
請求項２〜１０のいずれか一項に記載の清掃ヘッド。
【請求項１２】
清掃シートを保持可能な清掃ヘッドを備える清掃具であって、
前記清掃ヘッドが、第１清掃面及び第２清掃面を有する板状の形状を有し、お互いに直交する、長手方向、短手方向及び厚さ方向を有し、
前記清掃ヘッドが、前記清掃シートの一方の端部及び他方の端部の少なくとも一方を挟持する挟持部であって、展開形態及び閉鎖形態をとることができるように構成されたものを備えている、
ことを特徴とする、前記清掃具。
【請求項１３】
清掃シートの、前記清掃シートを保持可能な清掃ヘッドを備える清掃具への使用であって、
前記清掃ヘッドが、第１清掃面及び第２清掃面を有する板状の形状を有し、お互いに直交する、長手方向、短手方向及び厚さ方向を有し、
前記清掃ヘッドが、前記清掃シートの一方の端部及び他方の端部の少なくとも一方を挟持する挟持部であって、展開形態及び閉鎖形態をとることができるように構成されたものを備えている、
ことを特徴とする、前記使用。
【請求項１４】
請求項１〜１１のいずれか一項に記載の清掃ヘッド用又は請求項１２に記載の清掃具用の清掃シートであって、
前記清掃シートが、前記清掃ヘッドに保持されるように構成されている、
前記清掃シート。
【発明の詳細な説明】
【技術分野】
【０００１】
本開示は、清掃具用の清掃ヘッド、上記清掃ヘッドを備える清掃具、清掃シートの、上記清掃具への使用、及び上記清掃具用の清掃シートに関する。
【背景技術】
【０００２】
清掃シートを清掃ヘッドに取り付けるタイプの清掃具が知られている。
例えば、特許文献１には、清掃布１０と、清掃布１０を保持可能な略箱状の本体２２であって、被清掃面に対して面当接可能な清掃部２４，２５を備えるものと、本体２２を回転可能に軸支する支持アーム２３とを有する清掃用具２０が開示されている。
特許文献１では、その段落［００１５］に記載されるように、清掃布１０は、本体２２に巻き付けられるとともに、長手方向両端縁が清掃部２４，２５間に設けられた溝状の保持部２６に押し込まれることにより保持される。
【０００３】
また、特許文献２には、清掃シートを挟み込むスリットが形成された本体と、前記本体が回動自在に支承された略コ字状に形成された支持アームと、前記支持アームの端部が自在継手を介して連結されたハンドルと、が備えられていることを特徴とする清掃用具が開示されている。
【０００４】
特許文献２の図１に記載される清掃用具Ａは、特許文献１の段落［００１４］に記載されるように、清掃シートＳを挟み込むスリットが形成された本体１と、前記本体が回動自在に支承された略コ字状に形成された支持アーム２と、前記支持アーム２の端部が自在継手３を介して連結されたハンドル４と、から構成されている。
【０００５】
また、特許文献２の段落［００２０］には、「図６に示すのは、スリット体２３を組み込んだカバー部２０に、清掃シートＳを取付けた状態を示すものである。この清掃シートＳをスリット２３ｃに挟み込むには、指先などこの清掃シートＳをスリット２３ｃに押し込めばよく、亀の甲状のスリットにより、簡単に挟み込むことができ、鋸歯状のスリットのように、指を痛めることもない。」ことが記載されている。
【先行技術文献】
【特許文献】
【０００６】
【特許文献１】特開平９−１６４１１０号公報
【特許文献２】実用新案登録第３１５２６３２号公報
【発明の概要】
【発明が解決しようとする課題】
【０００７】
特許文献１に記載の清掃用具２０では、清掃布１０は、本体２２に巻き付けられるとともに、長手方向両端縁が清掃部２４，２５間に設けられた溝状の保持部２６に押し込まれることにより保持されるので、清掃部２４，２５の両清掃面を用いて被清掃面を清掃すると、清掃布１０の両端が、保持部２６から外れ、清掃布１０が、本体２２から外れやすいものであった。
【０００８】
また、特許文献２に記載の清掃用具Ａでは、清掃シートＳは、本体１のカバー部２０の外面に配置されたスリット２３ｃに挟み込まれることにより保持されるので、清掃用具Ａを用いて被清掃面を清掃すると、清掃シートＳの両端が、スリット２３ｃから外れ、清掃シートＳが、本体１から外れやすいものであった。
従って、本開示は、清掃シートが清掃ヘッドから外れにくい、清掃具用の清掃ヘッドを提供することを目的とする。
【課題を解決するための手段】
【０００９】
本開示者らは、清掃シートを保持可能な、清掃具用の清掃ヘッドであって、上記清掃ヘッドが、第１清掃面及び第２清掃面を有する板状の形状を有し、お互いに直交する、長手方向、短手方向及び厚さ方向を有し、上記清掃ヘッドが、上記清掃シートの一方の端部及び他方の端部の少なくとも一方を挟持する挟持部であって、展開形態及び閉鎖形態をとることができるように構成されたものを備えていることを特徴とする清掃ヘッドを見出した。
【発明の効果】
【００１０】
本開示の清掃具用の清掃ヘッドは、清掃シートが清掃ヘッドから外れにくい。
【図面の簡単な説明】
【００１１】
【図１】図１は、第１実施形態に従う清掃具１の斜視図である。
【図２】図２は、清掃ヘッド３の斜視図である。
【図３】図３は、狭空間清掃形態における清掃具１の正面図である。
【図４】図４は、狭空間清掃形態における清掃具１の背面図である。
【図５】図５は、展開形態における清掃ヘッド３の第１内面１２９及び第２内面１３９側の展開図である。
【図６】図６は、清掃ヘッド３の、図５のＶＩ−ＶＩ断面における断面図である。
【図７】図７は、展開形態における清掃ヘッド３の第１外面１２７及び第２外面１３７側の展開図である。
【図８】図８は、ブラケット５の斜視図である。
【図９】図９は、清掃シート３１を清掃ヘッド３に取り付ける方法を説明するための図である。
【図１０】図１０は、清掃シート３１を清掃ヘッド３に取り付ける方法を説明するための図である。
【図１１】図１１は、清掃シート３１を清掃ヘッド３に取り付ける方法を説明するための図である。
【図１２】図１２は、広空間清掃形態における清掃具１を説明するための図である。
【図１３】図１３は、狭空間清掃形態における清掃具１を説明するための図である。
【図１４】図１４は、第２実施形態に従う清掃具１の斜視図である。
【図１５】図１５は、清掃具１の、図１４のＸＶ−ＸＶ断面における断面図である。
【図１６】図１６は、第３実施形態に従う清掃具１を説明するための図である。
【発明を実施するための形態】
【００１２】
［定義］
・挟持部に関する「閉鎖形態」及び「展開形態」
本明細書では、挟持部に関する「閉鎖形態」は、清掃ヘッドが挟持部を備えている場合に、挟持部が閉じている形態を意味する。また、挟持部が、回転端及び開閉端を有する、第１挟持部分及び第２挟持部分を備えている場合には、挟持部に関する「閉鎖形態」は、開閉端が閉じている形態を意味する。
本明細書では、挟持部に関する「展開形態」は、清掃ヘッドが挟持部を備えている場合に、挟持部が開いている形態を意味する。また、挟持部が、回転端及び開閉端を有する、第１挟持部分及び第２挟持部分を備えている場合には、挟持部に関する「展開形態」は、開閉端が閉じていない形態、特に、第１挟持部分の開閉端を構成する部分と、第２挟持部分の開閉端を構成する部分とが最も遠い位置に存在する形態を意味する。
なお、閉鎖形態及び展開形態ともに、挟持部は、清掃シートを挟持していてもよく、そして清掃シートを挟持していなくともよい。
【００１３】
・「狭空間」及び「広空間」
本明細書では、狭い空間を「狭空間」と称し、狭空間の中で、垂直方向に沿う方向に延びており且つ水平方向に沿う方向に狭い空間を「垂直方向狭空間」と称し、そして水平方向に沿う方向に延びており且つ垂直方向に沿う方向に狭い空間を「水平方向狭空間」と称する場合がある。また、狭空間を構成する面を「被清掃面」と称する場合があり、そして異なる方向に延在する２つの被清掃面が交差する部分を「隅部」と称する場合がある。
なお、上記被清掃面としては、例えば、壁、床面、家具の頂面、側面及び底面、電化製品の頂面、側面及び底面等が挙げられる。
また、本明細書では、広い空間を「広空間」と称する場合がある。
【００１４】
・対象物に関する「所定の方向に沿う」
本明細書では、対象物に関して「所定の方向に沿う」とは、対象物が、所定の方向と直交する直交方向よりも、所定の方向に近い方向に延びていることを意味し、そして具体的には、対象物が、所定の方向と、好ましくは４５°未満、より好ましくは３０°以下、さらに好ましくは２０°以下、そしてさらにいっそう好ましくは５°以下の交差角を有するように延びていることを意味する。
なお、本明細書では、交差角が５°以下である場合に、「所定の方向と平行」と称する場合がある。
【００１５】
上記所定の方向としては、例えば、水平方向、垂直方向、平面方向、長手方向、短手方向、厚さ方向等が挙げられる。
例えば、対象物である被清掃面が、「垂直方向に沿う」とは、被清掃面が、垂直方向と、好ましくは４５°未満、より好ましくは３０°以下、さらに好ましくは２０°以下、そしてさらにいっそう好ましくは５°以下の交差角を有するように延びていることを意味する。
【００１６】
・対象物に関する「所定の線に沿う」
本明細書では、対象物に関して「所定の線に沿う」とは、対象物が、所定の線と直交する直交方向よりも、所定の線に近い方向に延びていることを意味し、そして具体的には、対象物が、所定の線と、好ましくは４５°未満、より好ましくは３０°以下、さらに好ましくは２０°以下、そしてさらにいっそう好ましくは５°以下の交差角を有するように延びていることを意味する。
なお、本明細書では、交差角が５°以下である場合に、「所定の線と平行」と称する場合がある。
【００１７】
上記所定の線としては、例えば、軸、例えば、ヘッド回転軸、挟持部回転軸、柄回転軸等が挙げられる。
例えば、対象物であるおもりが、「ヘッド回転軸に沿う」とは、おもりが、ヘッド回転軸と、好ましくは４５°未満、より好ましくは３０°以下、さらに好ましくは２０°以下、そしてさらにいっそう好ましくは５°以下の交差角を有するように延びていることを意味する。
【００１８】
・「水平方向清掃性」及び「垂直方向清掃性」
本明細書では、「水平方向清掃性」は、水平方向に沿う方向に延びている被清掃面の清掃性を意味し、「垂直方向清掃性」は、垂直方向に沿う方向に延びている被清掃面の清掃性を意味する。
・「狭空間清掃性」
本明細書では、「狭空間清掃性」は、狭空間を構成する被清掃面の清掃性を意味する。また、本明細書では、垂直方向狭空間及び水平方向狭空間を構成する被清掃面の清掃性を、それぞれ、「垂直方向狭空間清掃性」及び「水平方向狭空間清掃性」と称する。
・「清掃面切替性」
本明細書では、「清掃面切替性」は、清掃面（第１清掃面から第２清掃面へ、又は第２清掃面から第１清掃面へ）の切替性を意味する。
【００１９】
・清掃具に関する「狭空間清掃形態」、「広空間清掃形態」
本明細書では、清掃具に関する「狭空間清掃形態」は、清掃具を用いて狭空間を清掃するための形態で有り、清掃ヘッド、ブラケット及び清掃具用柄を、清掃ヘッドの平面方向、ブラケット仮想面及び柄軸が、平行になる(好ましくは、同一平面上に存在する）ように保持した形態を意味する。なお、清掃ヘッド及びブラケットを、清掃ヘッドの平面方向及びブラケット仮想面が、平行になる(好ましくは、同一平面上に存在する）ように保持することを、清掃ヘッドの平面方向及びブラケットのブラケット仮想面を一致させると称する場合がある。
なお、本明細書では、清掃ヘッドの平面方向、ヘッド回転部材仮想面及び／又は柄軸に関する平行は、それらの交差角が１０°以下、好ましくは５°以下、そしてさらに好ましくは０°であることを意味する。
【００２０】
本明細書では、清掃具に関する「広空間清掃形態」は、清掃ヘッドの平面方向を、ブラケットのブラケット仮想面と交差するように保持した形態を意味するものとする。
なお、上記定義は、清掃具を用いて狭空間及び広空間を清掃する際の典型的な形態を意味するものであり、清掃具を用いた清掃の形態を限定するものではない。
【００２１】
・清掃ヘッドに関する「起立」
本明細書では、清掃ヘッドに関する起立は、清掃ヘッドが、その平面方向が水平方向に沿う方向に延びている状態から、その平面方向が垂直方向に沿う方向に延びている状態に清掃ヘッドを回転させることを意味する。例えば、清掃ヘッドを持ち上げ、その平面方向が水平方向に沿う方向に延びている状態から、その平面方向が垂直方向に沿う方向に延びている状態に回転させ、清掃ヘッドを起立させることができる。
【００２２】
・「内方」及び「外方」
本明細書では、「内方」及び「外方」は、それぞれ、所定の線、例えば、中心線（例えば、長手方向中心線、短手方向中心線、厚さ方向中心線等）、軸（例えば、回転軸、例えば、ヘッド回転軸、挟持部回転軸、柄回転軸、柄軸等）等を有する対象物において、所定の線に近づく方向及び軸から遠ざかる方向を意味する。例えば、長手方向の内方とは、長手方向のうち、短手方向に延びている長手方向中心線に近づく方向を意味する。
【００２３】
・「内方の位置」及び「外方の位置」
また、本明細書では、一方が、他方より「内方の位置」に配置されていることは、一方が、他方よりも、対象となる所定の線に近い位置に配置されていることを意味し、そして一方が、他方より「外方の位置」に配置されていることは、一方が、他方よりも、対象となる所定の線に遠い位置に配置されていることを意味する。
【００２４】
具体的には、本開示は以下の態様に関する。
［態様１］
清掃シートを保持可能な、清掃具用の清掃ヘッドであって、
上記清掃ヘッドが、第１清掃面及び第２清掃面を有する板状の形状を有し、お互いに直交する、長手方向、短手方向及び厚さ方向を有し、
上記清掃ヘッドが、上記清掃シートの一方の端部及び他方の端部の少なくとも一方を挟持する挟持部であって、展開形態及び閉鎖形態をとることができるように構成されたものを備えている、
ことを特徴とする、上記清掃ヘッド。
【００２５】
上記清掃ヘッドは、清掃シートの一方の端部及び他方の端部の少なくとも一方を挟持する挟持部を備えており、清掃シートを清掃ヘッドに取り付けると、清掃シートの一方の端部及び他方の端部の少なくとも一方が、清掃ヘッドの挟持部に挟持される。従って、清掃シートが取り付けられた清掃具を用いて、第１清掃面及び第２清掃面を用いて被清掃面を清掃する際に、清掃シートの、挟持部に挟持されている端部が挟持部から外れにくく、清掃シートが、清掃ヘッドから外れにくい。
【００２６】
［態様２］
上記挟持部が、第１挟持部分と、第２挟持部分とを備えており、
第１挟持部分及び第２挟持部分が、上記長手方向に沿う方向に延びている挟持部回転軸を有する回転端により回転可能に連結されているとともに、上記長手方向に沿う方向に延びている開閉端により開閉可能に連結されている、態様１に記載の清掃ヘッド。
【００２７】
上記清掃ヘッドは、所定の挟持部を備えているので、清掃シートが取り付けられた清掃具を用いて、第１清掃面及び第２清掃面を用いて被清掃面を清掃する際に、清掃シートの、挟持部に挟持されている端部が挟持部から外れにくく、清掃シートが、清掃ヘッドから外れにくい。
【００２８】
［態様３］
上記開閉端が、上記清掃ヘッドの上記短手方向の端部に配置されている、態様２に記載の清掃ヘッド。
【００２９】
上記清掃ヘッドでは、開閉端が清掃ヘッドの短手方向の端部に配置されている、すなわち、第１清掃面及び第２清掃面に開閉端が配置されていないため、清掃具を使用する際に、清掃シートが、清掃ヘッドから外れにくい。
【００３０】
［態様４］
上記回転端が、上記清掃ヘッドの上記短手方向の端部に配置されている、態様２又は３に記載の清掃ヘッド。
【００３１】
上記清掃ヘッドでは、回転端が清掃ヘッドの短手方向の端部に配置されているので、挟持部を展開形態にし、清掃シートを清掃ヘッドに固定した後、挟持部を閉鎖形態にする際に、清掃シートが引っ張られにくく、ひいては、清掃具を使用する際に、清掃シートが、清掃ヘッドから外れにくい。
【００３２】
［態様５］
上記清掃ヘッドが、上記長手方向の一方又は両方の端部に、上記挟持部を展開するための窪み部であって、第１挟持部分及び第２挟持部分に渡って存在するものを備えている、態様２〜４のいずれか一項に記載の清掃ヘッド。
【００３３】
上記清掃ヘッドは、所定の窪み部を備えているため、使用者が、閉鎖形態にある挟持部（第１挟持部分及び第２挟持部分）の窪み部に指を入れ、挟持部を展開し、展開形態にある挟持部を形成しやすく、ひいては、清掃シートを清掃ヘッドに装着しやすくなる。
【００３４】
［態様６］
第１挟持部分が、第１外面及び第１内面を備えているとともに、第２挟持部分が、第２外面及び第２内面を備えており、
第１挟持部分が、第１外面を構成する第１軟質部材と、第１内面を構成する第１硬質部材とを備えているとともに、第２挟持部分が、第２外面を構成する第２軟質部材と、第２内面を構成する第２硬質部材とを備えており、
上記窪み部の底部が、少なくとも第１硬質部材及び第２硬質部材から構成されている、
態様５に記載の清掃ヘッド。
【００３５】
上記清掃ヘッドでは、第１挟持部分の第１外面が第１軟質部材から構成されるとともに、第２挟持部分の第２外面が第２軟質部材から構成されているので、清掃ヘッドが清掃性に優れる。また、上記清掃ヘッドでは、使用者が指を差し込む窪み部の底部が、硬質部材（第１硬質部材及び第２硬質部材）から構成されているので、使用者が、閉鎖形態にある挟持部（第１挟持部分及び第２挟持部分）の窪み部に指を入れ、挟持部を展開し、展開形態にある挟持部を形成しやすく、ひいては、清掃シートを清掃ヘッドに装着しやすくなる。
【００３６】
［態様７］
第１挟持部分が、第１内面及び第１外面を備えているとともに、第２挟持部分が、第２内面及び第２外面を備えており、
第１内面及び第２内面が、それぞれ、上記清掃シートの上記一方の端部を保持するための第１スリット部と、上記清掃シートの上記他方の端部を保持するための第２スリット部とを有している、
態様２〜６のいずれか一項に記載の清掃ヘッド。
【００３７】
上記清掃ヘッドでは、第１内面及び第２内面が、それぞれ、所定の第１スリット部及び第２スリット部を有しており、清掃具を使用する際に、清掃シートの一方の端部及び他方の端部が挟持部内に保持されるので、清掃具を使用する際に、清掃シートの一方の端部及び他方の端部が挟持部から外れにくく、清掃シートが、清掃ヘッドから外れにくい。
【００３８】
［態様８］
第１内面が、上記清掃シートを保持するように構成されている、第１凸部及び第１凹部を備えており、
第２内面が、上記清掃シートを保持するように構成されている、第１凸部及び第１凹部にそれぞれ対応する第２凹部及び第２凸部を備えている、
態様７に記載の清掃ヘッド。
【００３９】
上記清掃ヘッドでは、第１内面が、所定の第１凸部及び第１凹部を備えているとともに、第２内面が、所定の第２凹部及び第２凸部を備えているので、清掃具を使用する際に、清掃シートの一方の端部及び他方の端部が挟持部内により保持されやすくなるので、清掃具を使用する際に、清掃シートの一方の端部及び他方の端部が挟持部から外れにくく、清掃シートが、清掃ヘッドから外れにくい。
【００４０】
［態様９］
第１スリット部及び第２スリット部が、それぞれ、第１凸部及び第２凸部に配置されている、態様８に記載の清掃ヘッド。
【００４１】
上記清掃ヘッドでは、第１スリット部及び第２スリット部が、それぞれ、第１凸部及び第２凸部に配置されているので、清掃具を使用する際に、清掃シートの一方の端部及び他方の端部が挟持部内により保持されやすくなるので、清掃具を使用する際に、清掃シートの一方の端部及び他方の端部が挟持部から外れにくく、清掃シートが、清掃ヘッドから外れにくい。
【００４２】
また、上記清掃ヘッドでは、第１スリット部及び第２スリット部が、それぞれ、第１凸部及び第２凸部に配置されているので、第１凸部及び第２凸部が、第１スリット部及び第２スリット部を押込むための空間を確保することができる。その結果、清掃ヘッドの厚さを薄くすることができる。
【００４３】
［態様１０］
第１外面及び第２外面が、それぞれ、第１清掃面及び第２清掃面を構成している、態様６〜９のいずれか一項に記載の清掃ヘッド。
【００４４】
上記清掃ヘッドでは、第１挟持部分の第１外面及び第２挟持部分の第２外面が、それぞれ、第１清掃面及び第２清掃面を構成しているので、清掃ヘッドが、第１清掃面及び第２清掃面を広く有することができ、清掃性に優れる。
【００４５】
［態様１１］
第１挟持部分及び第２挟持部分が、それぞれ、上記挟持部の上記閉鎖形態を保持するように構成された、お互いに嵌合する、嵌合用突起及び嵌合用窪みを備えており、
上記嵌合用突起が、上記長手方向に向かって突出しているとともに、上記長手方向に伸縮可能で有り、そして
嵌合用窪みが、上記長手方向に向かって窪んでいる、
態様２〜１０のいずれか一項に記載の清掃ヘッド。
【００４６】
上記清掃ヘッドでは、第１挟持部分及び第２挟持部分が、所定の嵌合用突起及び嵌合用窪みを備えているので、挟持部が、閉鎖形態において、清掃シートの両端の保持性に優れ、清掃具を使用する際に、清掃シートの、挟持部に保持されている端部が挟持部から外れにくく、清掃シートが、清掃ヘッドから外れにくい。
【００４７】
［態様１２］
清掃シートを保持可能な清掃ヘッドを備える清掃具であって、
上記清掃ヘッドが、第１清掃面及び第２清掃面を有する板状の形状を有し、お互いに直交する、長手方向、短手方向及び厚さ方向を有し、
上記清掃ヘッドが、上記清掃シートの一方の端部及び他方の端部の少なくとも一方を挟持する挟持部であって、展開形態及び閉鎖形態をとることができるように構成されたものを備えている、
ことを特徴とする、上記清掃具。
上記清掃具は、態様１と同様の効果を有する。
【００４８】
［態様１３］
清掃シートの、上記清掃シートを保持可能な清掃ヘッドを備える清掃具への使用であって、
上記清掃ヘッドが、第１清掃面及び第２清掃面を有する板状の形状を有し、お互いに直交する、長手方向、短手方向及び厚さ方向を有し、
上記清掃ヘッドが、上記清掃シートの一方の端部及び他方の端部の少なくとも一方を挟持する挟持部であって、展開形態及び閉鎖形態をとることができるように構成されたものを備えている、
ことを特徴とする、上記使用。
上記使用は、態様１と同様の効果を有する。
【００４９】
［態様１４］
態様１〜１１のいずれか一項に記載の清掃ヘッド用又は態様１２に記載の清掃具用の清掃シートであって、
上記清掃シートが、上記清掃ヘッドに保持されるように構成されている、
上記清掃シート。
上記清掃シートは、所定の清掃ヘッドに保持されるように構成されているので、態様１と同様の効果を有する。
【００５０】
本開示の、清掃具用の清掃ヘッド（以下、「清掃具用の清掃ヘッド」を、単に『清掃ヘッド』と称する場合がある）、本開示の、清掃ヘッドを備える清掃具（以下、「清掃ヘッドを備える清掃具」を、単に『清掃具』と称する場合がある）、本開示の、清掃シートの、上記清掃具への使用（以下、「清掃シートの、上記清掃具への使用」を、単に『清掃具への使用』又は『使用』と称する場合がある）、及び本開示の、清掃具用の清掃シート（以下、「清掃具用の清掃シート」を、単に『清掃シート』と称する場合がある）について、以下、詳細に説明する。
なお、以下、清掃具に関する実施形態において、清掃具、清掃ヘッド及び清掃具への使用、及び清掃シートに関する実施形態を、まとめて説明する。また、清掃具に関する実施形態では、理解しやすさのため、清掃具を、被清掃面側の部材から使用者側の部材の順番、具体的には、清掃ヘッド、ブラケット、及び清掃具用柄の順番で説明する。
【００５１】
図１〜図１３は、本開示の実施形態の１つ（以下、「第１実施形態」と称する）に従う清掃具１を説明するための図である。具体的には、図１は、清掃具１の斜視図である。図２は、清掃ヘッド３の斜視図であり、図１に示される清掃具１の清掃ヘッド３の部分の拡大図に相当する。図３及び図４は、それぞれ、狭空間清掃形態における清掃具１の正面図及び背面図である。図５は、展開形態における清掃ヘッド３の第１内面１２９及び第２内面１３９側の展開図である。図６は、清掃ヘッド３の、図５のＶＩ−ＶＩ断面における断面図である。図７は、展開形態における清掃ヘッド３の第１外面１２７及び第２外面１３７側の展開図である。図８は、ブラケット５の斜視図である。図９〜図１１は、清掃シート３１を清掃ヘッド３に取り付ける方法を説明するための図である。図１２は、広空間清掃形態における清掃具１を説明するための図である。図１３は、狭空間清掃形態における清掃具１を説明するための図である。
【００５２】
第１実施形態に従う清掃具１は、清掃ヘッド３と、清掃ヘッド３に回転可能に取り付けられているブラケット５と、ブラケット５に連結されている清掃具用柄７とを備えている。
清掃ヘッド３は、平面方向Ｐと、厚さ方向Ｔとを備えている板状の形状を有し、平面方向Ｐと平行に延びている清掃面１１１（具体的には、第１清掃面１１３及び第２清掃面１１５）と、平面方向Ｐと平行に延びているヘッド回転軸ＲＡ1を備えているブラケット用孔１１７とを備えている。第１清掃面１１３と、第２清掃面１１５とは、ヘッド回転軸ＲＡ1を間に挟んで、厚さ方向Ｔにおいて、お互いに対向している。なお、ヘッド回転軸ＲＡ1は、清掃ヘッド３を、ブラケット５に対して回転させるための回転軸である。
【００５３】
清掃ヘッド３は、長手方向Ｌと、長手方向Ｌと直交する短手方向Ｓとを有している。長手方向Ｌ及び短手方向Ｓは、平面方向Ｐ内に配置されている。ブラケット用孔１１７と、ヘッド回転軸ＲＡ1とは、長手方向Ｌと平行に延びている。ブラケット用孔１１７は、清掃ヘッド３の４つの側面（図示せず）のうちの１つの側面（図示せず）に開口部１１７ａを有している。
【００５４】
清掃ヘッド３は、ヘッド回転軸ＲＡ1を通り且つ厚さ方向Ｔに延びている仮想面ＩＳにより、第１ヘッド領域１１９と、第２ヘッド領域１２１とに区画され、清掃ヘッド３が、清掃ヘッド３の重心を、第１ヘッド領域１１９に有する。なお、清掃ヘッド３の重心は、後述の２つのおもり１５３により調整されている。
【００５５】
清掃ヘッド３は、清掃シート３１を保持できるように構成されている。具体的には、清掃ヘッド３は、清掃シート３１の一方の端部３３及び他方の端部３５の両方を挟持することにより、清掃シート３１を保持するように構成されている挟持部１２３を備えている。
【００５６】
挟持部１２３は、第１挟持部分１２５と、第２挟持部分１３５とを備えており、第１挟持部分１２５及び第２挟持部分１３５は、長手方向Ｌ（ヘッド回転軸ＲＡ1）と平行に延びている挟持部回転軸ＲＡ2を有する回転端１４５により回転可能に連結されているとともに、長手方向Ｌ（ヘッド回転軸ＲＡ1）と平行に延びている開閉端１４７により開閉可能に連結されている。
【００５７】
開閉端１４７は、清掃ヘッド３の短手方向Ｓの一方の端部１４９に配置されており、回転端１４５は、清掃ヘッド３の短手方向Ｓの他方の端部１５１に配置されている。
ブラケット用孔１１７は、第１挟持部分１２５（具体的には、後述の第１硬質部材１３３）に配置されている。
【００５８】
第１挟持部分１２５は、第１外面１２７及び第１内面１２９を備えており、第１挟持部分１２５は、第１外面１２７を構成する第１軟質部材１３１と、第１内面１２９を構成する第１硬質部材１３３とを備えている。第２挟持部分１３５は、第２外面１３７及び第２内面１３９を備えており、第２挟持部分１３５は、第２外面１３７を構成する第２軟質部材１４１と、第２内面１３９を構成する第２硬質部材１４３とを備えている。
【００５９】
第１挟持部分１２５は、第１ヘッド領域１１９において、第１硬質部材１３３の、第１外面１２７側の面（第１軟質部材１３１側の面）に配置された金属製のおもり１５３を２つ備えている。２つのおもり１５３は、ヘッド回転軸ＲＡ1と離間して、そしてヘッド回転軸ＲＡ1（長手方向Ｌ）と平行に延びている、２つのおもり１５３は、短手方向Ｓに隣接して配置されている。
【００６０】
また、２つのおもり１５３は、第１挟持部分１２５の、ヘッド回転軸ＲＡ1と、回転端１４５との間に配置されている。それにより、使用者が、清掃具１を使用する際に、おもり１５３の重さを覚えにくい一方で、そして清掃具１を持ち上げた際に、清掃ヘッド３が起立しやすくなる。
【００６１】
図６に示されるように、清掃ヘッド３は、厚さ方向Ｔの中心に配置された厚さ方向中心仮想面ＩＳTをさらに備え、２つのおもり１５３が、厚さ方向中心仮想面ＩＳTと交差するように配置されている。それにより、使用者が、清掃具１を使用する際に、おもり１５３の重さを覚えにくい一方で、そして清掃具１を持ち上げた際に、清掃ヘッド３が起立しやすくなる。
【００６２】
第１挟持部分１２５の第１内面１２９は、長手方向Ｌの内方の位置に配置された、２つの第１凹部１５７と、２つの第１凹部１５７に対して、長手方向Ｌの外方の位置に配置された、２つの第１凸部１５５とを備えている。２つの第１凹部１５７のそれぞれは、厚さ方向Ｔにおいて、第２挟持部分１３５に向かって窪んでおり、２つの第１凸部１５５のそれぞれは、厚さ方向Ｔにおいて、第２挟持部分１３５に向かって突出している。
【００６３】
第２挟持部分１３５の第２内面１３９は、長手方向Ｌの内方の位置に配置された、２つの第２凸部１５９と、２つの第２凸部１５９に対して、長手方向Ｌの外方の位置に配置された、２つの第２凹部１６１とを備えている。２つの第２凸部１５９のそれぞれは、厚さ方向Ｔにおいて、第１挟持部分１２５に向かって突出しており、２つの第２凹部１６１のそれぞれは、厚さ方向Ｔにおいて、第１挟持部分１２５に向かって窪んでいる。
【００６４】
２つの第１凸部１５５のそれぞれの頂面と、２つの第２凸部１５９のそれぞれの頂面とには、それぞれ、清掃シート３１を保持するための、第１スリット部１６３と、第２スリット部１６５とが設けられている。
【００６５】
また、２つの第２凸部１５９のそれぞれと、２つの第１凹部１５７のそれぞれとは、挟持部１２３の閉鎖形態において、お互いに噛み合うように構成されている。また、２つの第２凹部１６１のそれぞれと、２つの第１凸部１５５のそれぞれとは、挟持部１２３の閉鎖形態において、お互いに噛み合うように構成されている。
【００６６】
さらに、第１挟持部分１２５の第１内面１２９の２つの第１凹部１５７の間と、第２挟持部分１３５の第２内面１３９の２つの第２凸部１５９の間とには、それぞれ、清掃シート３１の一方の端部３３と、他方の端部３５との位置を合わせるための目印１６７（目印１６７ａ及び目印１６７ｂ）が配置されている。
【００６７】
第１挟持部分１２５及び第２挟持部分１３５は、それぞれ、挟持部１２３の閉鎖形態を保持するように構成された、嵌合用突起１６９及び嵌合用窪み１７１を備えている。
具体的には、第１挟持部分１２５の長手方向Ｌの両端のそれぞれには、嵌合用突起１６９が配置されており、そして嵌合用突起１６９は、長手方向Ｌの外方に向かって突出しているとともに、長手方向Ｌに伸縮可能である。また、第２挟持部分１３５の長手方向Ｌの両端のそれぞれには、嵌合用突起１６９と嵌合するように構成された、嵌合用窪み１７１が配置されており、そして嵌合用窪み１７１は、長手方向Ｌの外方に向かって窪んでいる。第１挟持部分１２５の長手方向Ｌの両端のそれぞれにおいて、嵌合用突起１６９と、嵌合用窪み１７１とが嵌合することにより、挟持部１２３の閉鎖形態が保持される。
【００６８】
清掃ヘッド３の長手方向Ｌの両端に配置された両側面のそれぞれには、閉鎖形態における挟持部１２３を展開するための窪み部１７３が配置されている。窪み部１７３は、短手方向Ｓにおいて、回転端１４５よりも開閉端１４７に近い位置に配置され、窪み部１７３は、第１挟持部分１２５の第１硬質部材１３３及び第１軟質部材１３１と、第２挟持部分１３５の第２硬質部材１４３及び第２軟質部材１４１に渡って配置されているが、窪み部１７３の底部１７５（長手方向Ｌにおいて内方に位置する部分）は、第１挟持部分１２５の第１硬質部材１３３と、第２挟持部分１３５の第２硬質部材１４３とにより構成されている。それにより、使用者が、窪み部１７３に指を入れ、挟持部１２３（第１挟持部分１２５及び第２挟持部分１３５）を展開して展開形態を形成させやすく、ひいては、清掃シート３１を清掃ヘッド３に装着しやすくなる。
【００６９】
図６に示されるように、ブラケット用孔１１７は、ブラケット５のヘッド連結部２０１を保持するための２つのブラケット保持部１１８を備えている。２つのブラケット保持部１１８は、ブラケット５の周囲を覆うように配置されており、ブラケット保持部１１８の内面の径は、ブラケット５のヘッド連結部２０１の外面の径よりも大きく構成されている。
【００７０】
清掃具１（清掃ヘッド３）は、ブラケット保持部１１８の内部（より具体的には、ブラケット５のヘッド連結部２０１の外面と、ブラケット保持部１１８の内面との間）に、回転抑制部材、具体的には、グリースを備えている（図６にＸで示されている）。グリースは、ブラケット用孔１１７の内面（図示せず）と、ブラケット５（具体的には、後述のヘッド連結部２０１）の外面との間の摩擦を増やし、清掃ヘッド３が、ブラケット５に対して回転しすぎることを抑制する。
【００７１】
図８に示されるように、ブラケット５は、棒状の部材から構成されているとともに、ブラケット用孔１１７に回転可能に連結されているヘッド連結部２０１と、清掃具用柄７に連結されている柄連結部２０３と、ヘッド連結部２０１及び柄連結部２０３を離間させている離間部２０５とを備えている。ヘッド連結部２０１、柄連結部２０３、及び離間部２０５は、単一の平面であるのブラケット仮想面ＩＳB上に配置されている。
【００７２】
清掃具用柄７は、コネクティングロッド３０１と、第１柄部分３０７と、第２柄部分３０９と、第３柄部分３１１と、把持部３１５を有する第４柄部分３１３とが、その順で連結されており、コネクティングロッド３０１と、第１柄部分３０７と、第２柄部分３０９と、第３柄部分３１１と、第４柄部分３１３とは、連結形態と、分離形態とを切替可能であるように構成されている。
【００７３】
コネクティングロッド３０１は、清掃具用柄７を、所定の方向に回転可能とする柄回転軸ＲＡ3を有する回転部で有り、一対の第１継手部３０３及び第２継手部３０５から構成されている。第１継手部３０３は、柄連結部２０３に連結されており、そして第２継手部３０５が、第１柄部分３０７に連結されている。
コネクティングロッド３０１（清掃具用柄７）は、ブラケット５の柄連結部２０３に、コネクティングロッド３０１（清掃具用柄７）が、ブラケット仮想面ＩＳB上を回転可能となるように（すなわち、柄回転軸ＲＡ3がブラケット仮想面ＩＳBと直交するように）連結されている。
【００７４】
使用者は、清掃具１を使用するに当たり、閉鎖形態にある清掃ヘッド３の長手方向Ｌの両側面に配置された窪み部１７３に手を入れ、清掃ヘッド３を、展開形態に展開し、図９に示されるように、展開形態における清掃ヘッド３を、清掃シート３１の上に、挟持部１２３（第１挟持部分１２５及び第２挟持部分１３５）の第１内面１２９及び第２内面１３９が上方を向くように配置する。
【００７５】
次いで、清掃シート３１の一方の端部３３及び他方の端部３５が、それぞれ、第１挟持部分１２５の目印１６７ａ（１６７）及び目印１６７ｂ（１６７）に合うように、清掃シート３１の一方の端部３３及び他方の端部３５を、それぞれ、第１内面１２９及び第２内面１３９に向かって折り畳む。
【００７６】
次いで、使用者は、図１０に示されるように、第１挟持部分１２５の２つの第１凸部１５５のそれぞれに配置された第１スリット部１６３に、清掃シート３１の一方の端部３３を固定し、そして第２挟持部分１３５の２つの第２凸部１５９のそれぞれに配置された第２スリット部１６５に、清掃シート３１の他方の端部３５を固定する。
【００７７】
次いで、第１挟持部分１２５及び第２挟持部分１３５を、回転端１４５の挟持部回転軸ＲＡ2を中心に回転させ、嵌合用突起１６９及び嵌合用窪み１７１を嵌合させ、図１１に示されるように、清掃ヘッド３を閉鎖形態にする。それにより、清掃シート３１の一方の端部３３は、２つの第１凸部１５５の第１スリット部１６３により保持されるとともに、噛み合わされた、第１凸部１５５及び第２凹部１６１の組み合わせ（計２カ所）と、第１凹部１５７及び第２凸部１５９の組み合わせ（計２カ所）により保持されるため、使用時に、清掃シート３１の一方の端部３３が、挟持部１２３から外れにくくなる。
【００７８】
同様に、清掃シート３１の他方の端部３５は、２つの第２凸部１５９の第２スリット部１６５により保持されるとともに、噛み合わされた、第１凸部１５５及び第２凹部１６１の組み合わせ（計２カ所）と、第１凹部１５７及び第２凸部１５９の組み合わせ（計２カ所）により保持されるため、使用時に、清掃シート３１の他方の端部３５が、挟持部１２３から外れにくくなる。
【００７９】
使用者が、広空間を清掃する場合には、図１２に示されるように、清掃具１を、広空間清掃形態にし、特に制限なく、被清掃面を清掃することができる。清掃シート３１の第１面３７（清掃ヘッド３の第１清掃面１１３側の面）を被清掃面の清掃に用い、第１面３７が汚れた場合には、清掃ヘッド３を１８０°回転させ、清掃シートの第２面３９（清掃ヘッド３の第２清掃面１１５側の面）を用いて、被清掃面を清掃することができる。
【００８０】
使用者が、狭空間、例えば、図１３に示されるような垂直方向狭空間５１を清掃する場合には、清掃具１を、狭空間清掃形態、具体的には、清掃ヘッド３を、清掃ヘッド３の平面方向（図示せず）と、ブラケット５のブラケット仮想面（図示せず）とが一致するように回転させ、清掃ヘッド３の長手方向Ｌの端部（好ましくは、ブラケット用孔１１７の開口部１１７ａの存在しない側の端部）を、狭空間に入れ、狭空間の被清掃面を清掃することができる。
【００８１】
清掃具１を、広空間清掃形態から狭空間清掃形態に形態変更するためには、清掃具１を、単に持ち上げればよい。清掃具１（清掃ヘッド３）を持ち上げると、清掃ヘッド３の重心が、第１ヘッド領域１１９に存在することから、清掃ヘッド３が、第１ヘッド領域１１９を下方に向けて起立しやすくなる。
【００８２】
また、清掃具１（清掃ヘッド３）が、ブラケット用孔１１７の内面と、ブラケット５のヘッド連結部２０１の外面との間に、回転抑制部材としてのグリースを有するため、清掃具１を持ち上げた際に、清掃ヘッド３が、振り子のように振れ続けにくくなり、起立した状態で止まりやすい。
【００８３】
また、第１実施形態に従う清掃具１の清掃ヘッド３では、回転端１４５が、第１ヘッド領域１１９の、清掃ヘッド３の短手方向Ｓの他方の端部１５１に配置されているので、清掃ヘッド３を持ち上げた際に、清掃ヘッド３が、回転端１４５が下方を向き且つ開閉端１４７が上方を向くように起立する。従って、清掃ヘッド３の第１ヘッド領域１１９側（回転端１４５側）の側面を用いて、垂直方向狭空間５１の隅部５３を清掃しやすく、そしてその際に、清掃シート３１が清掃ヘッド３から外れにくくなる。
【００８４】
本開示の清掃具（本開示の清掃ヘッド、本開示の使用）では、清掃ヘッドは、第１清掃面及び第２清掃面を有する板状の形状を有し、お互いに直交する、長手方向、短手方向及び厚さ方向を有している。
【００８５】
上記板状の形状は、上記長手方向及び短手方向方向に沿う方向に延びている２つの表面部（すなわち、第１清掃面及び第２清掃面）であって、お互いに向かい合うものと、上記厚さ方向に沿う方向に延びている側面部とを有するものであれば、形状は、特に制限されない。上記表面部は、清掃ヘッドの厚さ方向から観察した形状が、多角形、例えば、三角形（例えば、二等辺三角形）、四角形（例えば、矩形、菱形）、五角形、六角形等、湾曲形、例えば、円形、楕円形等であることができる。
【００８６】
また、上記表面部（すなわち、第１清掃面及び第２清掃面）及び側面部は、平面だけでなく、湾曲面（例えば、両端以外の中央領域が外方に向かって突出する湾曲面、両端以外の中央領域が内方に向かって窪む湾曲面）であってもよく、そして凹凸構造、例えば、一又は複数の凸部、一又は複数の凹部等を含むことができる。それにより、清掃ヘッドに取り付けられた清掃シートがずれにくくなり、清掃具を使用する際に、清掃シートが清掃ヘッドから外れにくくなる。
【００８７】
本開示の清掃具（本開示の清掃ヘッド、本開示の使用）では、清掃ヘッドの厚さ（厚さ方向の長さ）は、特に制限されるものではないが、狭空間を清掃する観点からは、上記厚さは、薄いことが好ましく、上記厚さは、好ましくは３．０ｃｍ以下、より好ましくは２．０ｃｍ以下である。上記厚さは、清掃具の強度の観点から、好ましくは０．１ｃｍ以上、そしてより好ましくは１．０ｃｍ以上である。なお、清掃ヘッドの厚さは、清掃ヘッドの最も厚い部分を意味する。
【００８８】
本開示の清掃具（本開示の清掃ヘッド、本開示の使用）では、清掃ヘッドが、ブラケット用孔を有することができる。上記ブラケット用孔の開口部は、清掃ヘッドの任意の位置に配置されることができ、そして側面部に配置されることが好ましい。ブラケット用孔の開口部は、清掃ヘッドの長手方向における端部（両端部）を構成する側面部（両側面部）、清掃ヘッドの短手方向における端部（両端部）を構成する側面部（両側面部）に配置されることができ、長手方向における端部（両端部）を構成する側面部（両側面部）に配置されることが好ましい。清掃具の使いやすさの観点からである。
【００８９】
上記ブラケット用孔（及びヘッド回転軸）は、所定の方向に延びることができる。また、記ブラケット用孔（及びヘッド回転軸）は、所定の方向と交差する方向（好ましくは直交する方向）における上記側面部の中央に配置されることが好ましい。上記ブラケット用孔（及びヘッド回転軸）は、清掃ヘッドの長手方向の中央又は短手方向の中央に配置されることが好ましい。清掃ヘッドの回転のしやすさ、並びに清掃具の使いやすさの観点からである。なお、上記所定の方向は、長手方向又は短手方向であることができる。
【００９０】
本開示の清掃具（本開示の清掃ヘッド、本開示の使用）では、清掃ヘッドが、清掃シートの一方の端部及び他方の端部の少なくとも一方を挟持する挟持部であって、展開形態及び閉鎖形態をとることができるように構成されたものを備えている。それにより、清掃シートの、挟持部に挟持されている端部が挟持部から外れにくく、清掃シートが、清掃ヘッドから外れにくくなる。なお、上記挟持部は、清掃シートの一方の端部及び他方の端部の一方を挟持することができ、そして清掃シートの一方の端部及び他方の端部の両方を挟持することができる。
【００９１】
上記挟持部としては、清掃シートを挟持できるものであれば、特に制限されないが、上記挟持部は、第１挟持部分と、第２挟持部分とを備えており、第１挟持部分及び第２挟持部分が、所定の方向（好ましくは、ヘッド回転軸、長手方向等に沿う方向）に沿う方向に延びている挟持部回転軸を有する回転端により回転可能に連結されているとともに、所定の方向（好ましくは、ヘッド回転軸、長手方向等に沿う方向）に沿う方向に延びている開閉端により開閉可能に連結されていることが好ましい。それにより、清掃シートの、挟持部に挟持されている端部が挟持部から外れにくく、清掃シートが、清掃ヘッドから外れにくくなる。
【００９２】
上記回転端及び開閉端は、清掃ヘッドの任意の位置に配置されることができ、例えば、回転端（挟持部回転軸）及び／又は開閉端が、ヘッド回転軸に沿う方向に延びている場合には、回転端（挟持部回転軸）及び／又は開閉端は、ヘッド回転軸と直交する直交方向の端部、ヘッド回転軸と隣接する領域等に配置されうる。また、回転端（挟持部回転軸）及び／又は開閉端が、清掃ヘッドの長手方向に沿う方向に延びている場合には、回転端（挟持部回転軸）及び／又は開閉端は、短手方向の端部、ヘッド回転軸と隣接する領域等に配置されうる。
【００９３】
本開示の清掃具（本開示の清掃ヘッド、本開示の使用）において、清掃ヘッドが、第１挟持部分及び第２挟持部分を有する挟持部を備えている場合には、第１挟持部分と、第２挟持部分との閉鎖形態を保持するための保持手段としては、当技術分野で公知のものを採用することができ、例えば、一対の嵌合用突起及び嵌合用窪み、面ファスナー（フック型部材及びループ型部材）、一対の磁石、一対の磁石及び強磁性体（例えば、鉄、コバルト、ニッケル）、クリップ用ばね、メカニカルロック等が挙げられる。
【００９４】
上記一対の嵌合用突起及び嵌合用窪みは、それぞれ、所定の方向に向かって突出及び窪んでおり、当該所定の方向は、清掃ヘッドの平面方向を構成する方向（例えば、長手方向又は短手方向）であることが好ましく、清掃ヘッドの長手方向を構成する方向（例えば、長手方向の内方又は外方）であることがより好ましく、清掃ヘッドの長手方向の内方であることがさらに好ましい。それにより、挟持部の閉鎖形態を保持しやすくなる。
【００９５】
本開示の清掃具（本開示の清掃ヘッド、本開示の使用）において、清掃ヘッドが、第１挟持部分及び第２挟持部分を有する挟持部を備えており、第１ヘッド領域におもり（おもりについては後述する）が配置されており、そして平面方向に沿う方向に延びているヘッド回転軸を備えているブラケット用孔とを備えている場合には、おもり及びブラケット用孔は、第１挟持部分に配置されていることが好ましい。それにより、使用者が、清掃具を使用する際に、おもりの重さを覚えにくい一方で、そして清掃具を持ち上げた際に、清掃ヘッドが起立しやすくなるので、清掃具（清掃ヘッド）が、垂直方向清掃性、垂直方向狭空間清掃性、清掃面切り替え性等に優れる。なお、ヘッド回転軸は、清掃ヘッドを、ブラケットに対して回転させるための回転軸である。
【００９６】
本開示の清掃具（本開示の清掃ヘッド、本開示の使用）では、清掃ヘッドが、ブラケット用孔のヘッド回転軸を通り且つ清掃ヘッドの厚さ方向に延びている仮想面により、第１ヘッド領域と、第２ヘッド領域とに区画された場合に、清掃ヘッドが、清掃ヘッドの重心を、第１ヘッド領域に有することができる。また、上記清掃具は、清掃ヘッドの重心を、清掃ヘッドのヘッド回転軸を水平方向に保持した状態且つ清掃ヘッドを固定していない状態において、清掃ヘッドの第１領域が下方に移動し、清掃ヘッドの第２領域が上方に移動するように備えていることができる。垂直方向清掃性、並びに垂直方向狭空間清掃性の観点からである。
【００９７】
清掃ヘッドの重心は、第１ヘッド領域及び第２ヘッド領域において、清掃ヘッドを構成する部材、例えば、軟質部材、硬質部材等の質量を変えることにより調整することができる。
また、清掃ヘッドの重心は、第１ヘッド領域に追加の部材、例えば、おもり等を配置することにより調整することができる。上記おもりの素材としては、例えば、金属（例えば、鉄、ステンレス、鉛、銅、磁石）、ゴム、プラスチック等が挙げられる。
【００９８】
上記おもりは、第１ヘッド領域の任意の位置に配置されうるが、ヘッド回転軸から遠い位置に少なくとも配置されていることが好ましい。清掃ヘッドの質量の増加を抑制しつつ、清掃ヘッドの重心を効率よくヘッド回転軸から離間させることできる（清掃ヘッドを起立させやすくする）ので、清掃ヘッドが、垂直方向清掃性、垂直方向狭空間清掃性、清掃面切替性等に優れる。
上記おもりは、ヘッド回転軸に沿う方向に延びているように配置されていてもよく、そしてヘッド回転軸と直交する方向に沿う方向に延びているように配置されていてもよい。
【００９９】
本開示の清掃具（本開示の清掃ヘッド、本開示の使用）において、清掃ヘッドが、奇数個又は偶数個のおもりを備えている場合には、奇数個又は偶数個のおもりが、清掃ヘッドの厚さ方向の中心に配置された厚さ方向中心仮想面と交差するように配置されることができる。それにより、使用者が、清掃ヘッドを含む清掃具を持ち上げた際に、清掃ヘッドが垂直方向に沿う方向に起立しやすくなる。
【０１００】
また、本開示の清掃具（本開示の清掃ヘッド、本開示の使用）において、清掃ヘッドが偶数個のおもりを備えている場合には、偶数個のおもりが、上述の厚さ方向中心仮想面に対して対象に配置されることができる。それにより、使用者が、清掃ヘッドを含む清掃具を持ち上げた際に、清掃ヘッドが垂直方向に沿う方向に起立しやすくなる。
【０１０１】
また、本開示の清掃具（本開示の清掃ヘッド、本開示の使用）において、清掃ヘッドがおもりを備えている場合に、おもりが、清掃ヘッドの厚さ方向の中心に配置された厚さ方向中心仮想面に対して非対称になるように配置されることができる。例えば、清掃ヘッドが１つのおもりを備えている場合に、おもりが、厚さ方向中心仮想面と交差しないように配置することができる。それにより、使用者が、清掃ヘッドを含む清掃具を持ち上げた際に、清掃ヘッドが垂直方向から傾いた方向に傾斜しやすくなるため、清掃具を、水平方向清掃形態及び垂直方向清掃形態に切替えやすくなる。
【０１０２】
図１４及び図１５は、本開示の別の実施形態（以下、「第２実施形態」と称する場合がある）に従う清掃具１を説明するための図である。具体的には、図１４は、第２実施形態に従う清掃具１の斜視図である。図１５は、清掃具１の、図１４のＸＶ−ＸＶ断面における断面図である。
【０１０３】
第２実施形態に従う清掃具１は、第１挟持部分１２５と、第２挟持部分１３５とを備えている挟持部１２３を備えている。第１挟持部分１２５及び第２挟持部分１３５は、ヘッド回転軸ＲＡ1（長手方向Ｌ）と平行に延びている挟持部回転軸ＲＡ2を有する回転端１４５により回転可能に連結されているとともに、ヘッド回転軸ＲＡ1（長手方向Ｌ）と平行に延びている開閉端１４７により開閉可能に連結されている。
【０１０４】
第２実施形態に従う清掃具１では、回転端１４５は、第２ヘッド領域１２１に配置されているが、短手方向Ｓの他方の端部１５１ではなく、第２ヘッド領域１２１内のヘッド回転軸ＲＡ1よりの位置に配置されている。また、開閉端１４７は、第１ヘッド領域１１９における、短手方向Ｓの一方の端部１４９に配置されている。
【０１０５】
第２実施形態に従う清掃具１（清掃ヘッド３）は、第１ヘッド領域１１９に、おもり１５３としての磁石が配置されている。ブラケット５は、棒状の部材から構成されているとともに、ブラケット用孔（図示せず）に回転可能に連結されているヘッド連結部２０１と、清掃具用柄７に連結されている柄連結部２０３と、ヘッド連結部２０１及び柄連結部２０３を離間させている離間部２０５とを備えており、ヘッド連結部２０１、柄連結部２０３、及び離間部２０５は、単一の平面であるのブラケット仮想面（図示せず）上に配置されている。
【０１０６】
ブラケット５のヘッド連結部２０１は、おもり１５３と対向する位置に、ブラケット５の柄連結部２０３と反対側に向かって突出するヘッド固定用磁石１８１であって、おもり１５３と引き合うように配置されているものを備えている。使用者が、例えば、垂直方向狭空間を清掃するために、清掃具１を持ち上げると、おもり１５３としての磁石を含む第１ヘッド領域１１９が下方に移動し、清掃ヘッド３が起立するとともに、磁石であるおもり１５３が、ヘッド固定用磁石１８１と引き合い、清掃ヘッド３が起立した状態を固定することができる。従って、第２実施形態に従う清掃具１は、水平方向清掃性に加え、垂直方向清掃性に優れる。なお、ブラケット５は、非磁性体であるステンレスから構成されているため、磁石としてのおもり１５３は、ブラケット５そのものとは引き合わず、磁石としてのおもり１５３は、突出するヘッド固定用磁石１８１のみと引き合うように構成されている。
【０１０７】
また、第２実施形態に従う清掃具１では、第１挟持部分１２５が、第２挟持部分１３５のおもり１５３と対応する位置に、おもり１５３を構成する磁石と引き合うように配置された挟持用磁石１８３を備えており、挟持部１２３は、第１挟持部分１２５の挟持用磁石１８３と、第２挟持部分１３５のおもり１５３（磁石）とが引き合うことにより、閉鎖形態を保持することができる。換言すると、おもり１５３は、重心を第１ヘッド領域１１９に配置するためだけではなく、挟持部１２３が閉鎖形態を保持するために用いられている。
【０１０８】
また、第２実施形態に従う清掃具１では、清掃シート（図示せず）の一方の端部（図示せず）が、第１挟持部分１２５の第１外面１２７に配置された、２つの第１スリット部１６３に保持され、そして清掃シート（図示せず）の他方の端部（図示せず）が、第２挟持部分１３５の第２内面１３９に配置された、２つの第２スリット部１６５に保持される。換言すると、清掃シート（図示せず）の一方の端部（図示せず）は、清掃ヘッド３の第１外面１２７に保持され、清掃シート（図示せず）の他方の端部（図示せず）は、清掃ヘッド３の挟持部１２３に挟持される。
第２実施形態に従う清掃具１は、その他の部分に関しては、第１実施形態に従う清掃具１と同様であるため、説明を省略する。
【０１０９】
本開示の清掃具（本開示の清掃ヘッド、本開示の使用）において、清掃ヘッドは、清掃シートを保持するための清掃シート固定部を備えていることが好ましい。上記清掃シート固定部としては、挟込（例えば、挟持部）に加え、スリット部（例えば、第１実施形態及び第２実施形態に示される、第１スリット部１６３及び第２スリット部１６５）、面ファスナーのフック部材等が挙げられる。
【０１１０】
本開示の清掃具（本開示の清掃ヘッド、本開示の使用）において、清掃ヘッドが、清掃シートを保持するための清掃シート固定部を備えている場合には、清掃ヘッドは、その外面に、一又は複数の清掃シート固定部を備えていてもよく、そしてその内面に、一又は複数の清掃シート固定部を備えていてもよい。
【０１１１】
清掃ヘッドが、その内面に、一又は複数の清掃シート固定部を備えている例としては、例えば、清掃ヘッドが、挟持部、例えば、第１挟持部分及び第２挟持部分を有する挟持部を備えているものが挙げられる。第１挟持部分及び第２挟持部分は、所定の方向（好ましくは、ヘッド回転軸、長手方向等に沿う方向）に延びている挟持部回転軸を有する回転端により回転可能に連結されているとともに、所定の方向（好ましくは、ヘッド回転軸、長手方向等に沿う方向）に延びている開閉端により開閉可能に連結されているものが挙げられ、そして第１挟持部分の第１内面又は第２挟持部分の第２内面が、清掃シート固定部を備えているものが挙げられる。
【０１１２】
また、清掃ヘッドは、その外面に、一又は複数の清掃シート固定部を備えることができ、清掃ヘッドが、挟持部、例えば、第１挟持部分及び第２挟持部分を有する挟持部を備えている場合には、第１挟持部分の第１外面及び／又は第２挟持部分の第２外面が、清掃シート固定部を備えていることができる。
【０１１３】
本開示の清掃具（本開示の清掃ヘッド、本開示の使用）では、清掃ヘッドは、種々の素材から構成されることができるが、その外面が軟質部材から構成され、そして内部が、上記軟質部材よりも硬質の硬質部材から構成されることが好ましい。操作性と、清掃性との両立との観点からである。
【０１１４】
上記軟質部材を構成する素材としては、例えば、エチレン酢酸ビニルコポリマー（ＥＶＡ）、ポリウレタン（ＰＵ）、エラストマー、ゴム、スポンジ、各種発泡体、布帛（例えば、不織布、例えば、フェルト、織物、編物）等が挙げられ、そして上記硬質部材を構成する素材としては、例えば、ＡＢＳ樹脂、ポリオレフィン（例えば、ポリエチレン（ＰＥ）、ポリプロピレン（ＰＰ）等）、ポリエチレンテレフタラート（ＰＥＴ）、ポリアセタール（ＰＯＭ）、ポリカーボネート（ＰＣ）、ポリスチレン（ＰＳ）、ポリアミド（ＰＡ）、ポリ塩化ビニル（ＰＶＣ）、アクリル樹脂、及びそれらの複合材料、並びに金属（例えば、アルミニウム）等が挙げられる。
【０１１５】
本開示の清掃具（本開示の使用）では、清掃具は、清掃ヘッドと、ブラケットと、清掃具用柄とを備えていることができる。
上記ブラケットは、棒状の部材から構成されており、清掃ヘッドのブラケット用孔を介して、清掃ヘッドに回転可能に連結されるように構成されていることが好ましい。また、上記ブラケットは、単一の平面であるブラケット仮想面上に配置されていることが好ましい。狭空間清掃性の観点からである。
【０１１６】
上記棒状の部材としては、断面が円形、楕円形、多角形のものが挙げられ、そして上記ブラケットは、少なくともヘッド連結部の断面が円形であることが好ましく、ブラケット全体の断面が円形であることが好ましい。清掃ヘッドをヘッド回転軸を中心に回転させる観点、ブラケットが被清掃面を傷つけにくい観点からである。上記ブラケットの素材としては、例えば、金属、例えば、磁性体（磁性金属）、例えば、鉄（例えば、鉄の亜鉛メッキ物）、非磁性体（非磁性金属）、例えば、ステンレス、アルミニウム等が挙げられる。
【０１１７】
本開示の清掃具（本開示の使用）では、清掃具が、後述の清掃ヘッド固定機構を備えている場合であって、清掃ヘッド固定機構が一対の磁石又は一対の磁石及び強磁性体であるときには、上記ブラケットは、強磁性体、非磁性体及びそれらの組み合わせから構成されることができ、そして磁石を備えることができる。
例えば、上記ブラケットを、非磁性体（例えば、ステンレス）から形成し、その一部に強磁性体又は磁石を配置することにより、清掃ヘッドを、所望の位置で固定することができる。
【０１１８】
上記ブラケットは、例えば、ブラケット用孔に回転可能に連結されるヘッド連結部と、清掃具用柄に連結されている柄連結部と、ヘッド連結部及び柄連結部を離間させている離間部とを備えていることができる。柄連結部及び離間部と、ヘッド連結部及び離間部とは、交差するように連結していてもよく、そして湾曲するように一体化していてもよい。
【０１１９】
上記ヘッド連結部と、柄連結部とは、任意の長さを有することができる。例えば、ヘッド連結部が、柄連結部と略同一の長さであることができ、それにより、ブラケット、ひいては清掃具を軽量化するとともに、清掃具用柄に加えた力を、清掃ヘッドに的確に伝えやすくなる。また、ヘッド連結部が、柄連結部よりも長くともよく、それにより、清掃具用柄に加えた力を、清掃ヘッドにより伝えやすくなる。さらに、上記ヘッド連結部は、清掃ヘッドと略同一の長さ、又は清掃ヘッドよりも長い長さを有することができ、それにより、清掃具用柄に加えた力を、清掃ヘッドの全体に伝えやすくなる。
【０１２０】
上記ヘッド連結部と、柄連結部と、離間部とにおいて、少なくともヘッド連結部及び柄連結部は、ブラケット仮想面上に配置されていることが好ましく、そしてヘッド連結部、柄連結部及び離間部が、ブラケット仮想面上に配置されていることがより好ましい。狭空間清掃性の観点からである。
【０１２１】
本開示の清掃具（本開示の使用）では、清掃具が、清掃ヘッドがヘッド回転軸を中心に自由回転することを抑制するための回転抑制部材をさらに備えていてもよい。それにより、清掃具を持ち上げた際に、清掃ヘッドが、ヘッド回転軸を軸として、振り子のように振れ続けることを抑制することができる。
【０１２２】
上記回転抑制部材としては、ブラケット用孔の内面と、ブラケット（例えば、ヘッド連結部）の外面との間に配置された摩擦増強剤、例えば、グリースが挙げられる。摩擦増強剤を用いることにより、回転抑制作用が経時で低下しにくい。
【０１２３】
また、上記回転抑制部材としては、ブラケット（例えば、ヘッド連結部）の外周の一部又は全部に配置される突出部材（例えば、外周の全部に配置されるＯ状リング）であって、ブラケット用孔の内面と摩擦を生じさせるように構成されるもの、ブラケット用孔の内面に配置された突出部材であって、ブラケット（例えば、ヘッド連結部）の外面と摩擦を生じさせるように構成されるもの等が挙げられる。
【０１２４】
本開示の清掃具（本開示の使用）において、ブラケットが、ブラケット仮想面上に配置されている場合には、上記清掃具が、清掃ヘッド及びブラケットを、清掃ヘッドの平面方向と、ブラケット仮想面とを一致させて固定できるように構成されている（以下、清掃具が「清掃ヘッド固定機構」を備えると称する場合がある）ことができる。それにより、清掃具が、狭空間清掃性に優れる。
【０１２５】
上記清掃ヘッド固定機構としては、一対の磁石、一対の磁石及び強磁性体（例えば、鉄、コバルト、ニッケル）、一対の嵌合部等が挙げられる。上記清掃ヘッド固定機構が一対の磁石である例としては、ブラケット（例えば、ヘッド連結部、柄連結部及び／又は離間部）に配置された磁石と、清掃ヘッドの、ブラケットに配置された磁石と対応する位置に配置された磁石とを含む実施形態（例えば、第２実施形態）が挙げられる。上記清掃ヘッド固定機構が、一対の磁石及び強磁性体である例も同様である。上記清掃ヘッド固定機構が、一対の嵌合部である例としては、後述の第３実施形態、すなわち、ブラケットと、清掃ヘッドに配置された、ブラケットと嵌合するように形成された溝部とが挙げられる。
【０１２６】
なお、上記清掃ヘッド固定機構が一対の磁石である場合であって、ブラケットのヘッド連結部に磁石が配置されているときには、ブラケットのヘッド連結部が非磁性体から構成されているとともに、上記磁石が、ヘッド回転軸の周方向の所定の位置に配置されていることが好ましく、そして上記磁石が、ヘッド回転軸と直交する方向に、ブラケットのヘッド連結部よりも突出していることがより好ましい。そうすることにより、清掃ヘッドが、所望の位置で固定されやすくなる。
【０１２７】
図１６は、本開示の別の実施形態（以下、「第３実施形態」と称する場合がある）に従う清掃具１を説明するための図であり、斜視図である。
第３実施形態に従う清掃具１は、第１挟持部分１２５と、第２挟持部分１３５とを備えている挟持部１２３を備えている。第１挟持部分１２５及び第２挟持部分１３５は、長手方向Ｌ（ヘッド回転軸ＲＡ1）と平行に延びている挟持部回転軸ＲＡ2を有する回転端１４５により回転可能に連結されているとともに、長手方向Ｌ（ヘッド回転軸ＲＡ1）と平行に延びている開閉端１４７により開閉可能に連結されている。
【０１２８】
第２実施形態に従う清掃具１では、回転端１４５は、第２ヘッド領域１２１に配置されているが、短手方向Ｓの他方の端部１５１ではなく、第２ヘッド領域１２１内のヘッド回転軸ＲＡ1よりの位置に配置されている。また、開閉端１４７は、第１ヘッド領域１１９に配置されているが、短手方向Ｓの一方の端部１４９ではなく、第１ヘッド領域１１９内のヘッド回転軸ＲＡ1よりの位置に配置されている。
【０１２９】
清掃具１は、第１挟持部分１２５の第１内面１２９に配置された、磁石１９１（磁石１９１ａ，磁石１９１ｂ及び磁石１９１ｃ）を備えている。磁石１９１ａは、長手方向Ｌの中央に配置され、磁石１９１ｂ及び磁石１９１ｃは、長手方向の両端に配置されている。
また、清掃具１は、第２挟持部分１３５の第２内面１３９に配置された、磁石１９３（磁石１９３ａ，磁石１９３ｂ及び磁石１９３ｃ）を備えている。磁石１９３ａは、長手方向Ｌの中央且つ磁石１９１ａに対応する位置に配置され、磁石１９３ｂ及び磁石１９３ｃは、長手方向の両端且つ磁石１９１ｂ及び磁石１９１ｃに対応する位置に配置されている。
【０１３０】
清掃具１では、第１挟持部分１２５の磁石１９１と、第２挟持部分１３５の磁石１９３とが、挟持部１２３の閉鎖形態を保持するように作用するとともに、第１挟持部分１２５の第１内面１２９と、第２挟持部分１３５の第２内面１３９との間に差し込まれた清掃シートの一方の端部（図示せず）及び他方の端部（図示せず）を、磁石１９１及び磁石１９３の引き合う磁力により保持するように構成されている。
【０１３１】
本開示の清掃具（本開示の使用）では、清掃具は、いわゆる、片手持ち、すなわち、清掃ヘッドが、１カ所のみにおいて、ブラケット用孔を介してブラケットに連結されていてもよく、そしていわゆる、両手持ち、すなわち、清掃ヘッドが、複数箇所において、ブラケット用孔を介してブラケットに連結されていてもよい。
【０１３２】
上記清掃具を片手持ちとすることにより、図１３に示されるように、清掃ヘッドのブラケットが存在しない側の端部を用いて狭空間を清掃しやすくなる。また、上記清掃具を両手持ちとすることにより、使用者の力が、清掃ヘッドに伝わりやすくなる。
【０１３３】
両手持ちの清掃具としては、例えば、清掃ヘッドの側面部の２カ所に配置された２つのブラケット用孔を介して、ブラケットに連結されているものが挙げられる。
本開示の清掃具（本開示の使用）が長手方向及び短手方向を有する場合には、上記２つのブラケット用孔は、清掃ヘッドの長手方向の両端に配置された、お互いに向かい合う２つの側面部又は清掃ヘッドの短手方向の両端に配置された、お互いに向かい合う２つの側面部であることができ、そして清掃ヘッドの長手方向の両端に配置された、お互いに向かい合う２つの側面部であることが好ましい。
【０１３４】
上記２つのブラケット用孔は、連続して一体化されていてもよく、そして分離されていてもよいが、単一のヘッド回転軸を有することが好ましい。
【０１３５】
本開示の清掃具（本開示の清掃ヘッド、本開示の使用）では、清掃シートとしては、当技術分野で公知のもの、例えば、不織布を含むもの、トウを含むもの等が挙げられる。また、上記清掃シートとしては、ドライタイプ、薬液を含浸させたウェットタイプ等が挙げられる。
【符号の説明】
【０１３６】
１    清掃具
３    清掃ヘッド
５    ブラケット
７    清掃具用柄
３１    清掃シート
１１１    清掃面
１１３    第１清掃面
１１５    第２清掃面
１１７    ブラケット用孔
１１７ａ    開口部
１１８    ブラケット保持部
１１９    第１ヘッド領域
１２１    第２ヘッド領域
１２３    挟持部
１２５    第１挟持部分
１３５    第２挟持部分
１４５    回転端
１４７    開閉端
１５３    おもり
Ｐ    平面方向
Ｔ    厚さ方向
Ｌ    長手方向
Ｓ    短手方向
ＩＳ    仮想面
ＩＳT    厚さ方向中心仮想面
ＩＳB    ブラケット仮想面
ＲＡ1    ヘッド回転軸
ＲＡ2    挟持部回転軸
ＲＡ3    柄回転軸
【図１】
2020075074.tif 000003
【図２】
2020075074.tif 000004
【図３】
2020075074.tif 000005
【図４】
2020075074.tif 000006
【図５】
2020075074.tif 000007
【図６】
2020075074.tif 000008
【図７】
2020075074.tif 000009
【図８】
2020075074.tif 000010
【図９】
2020075074.tif 000011
【図１０】
2020075074.tif 000012
【図１１】
2020075074.tif 000013
【図１２】
2020075074.tif 000014
【図１３】
2020075074.tif 000015
【図１４】
2020075074.tif 000016
【図１５】
2020075074.tif 000017
【図１６】
2020075074.tif 000018
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
清掃シートを保持可能な、清掃具用の清掃ヘッドであって、
前記清掃ヘッドが、第１清掃面及び第２清掃面を有する板状の形状を有し、お互いに直交する、長手方向、短手方向及び厚さ方向を有し、
前記清掃ヘッドが、前記清掃シートの一方の端部及び他方の端部の少なくとも一方を挟持する挟持部であって、展開形態及び閉鎖形態をとることができるように構成されたものを備えており、
前記挟持部が、第１挟持部分と、第２挟持部分とを備えており、
第１挟持部分及び第２挟持部分が、前記長手方向に沿う方向に延びている挟持部回転軸を有する回転端により回転可能に連結されているとともに、前記長手方向に沿う方向に延びている開閉端により開閉可能に連結されており、
第１挟持部分が、第１内面及び第１外面を備えているとともに、第２挟持部分が、第２内面及び第２外面を備えており、
第１内面が、前記清掃シートの前記一方の端部を保持するための第１スリット部を有しており、そして／又は第２内面が、前記清掃シートの前記他方の端部を保持するための第２スリット部とを有しており、
第１内面が、前記清掃シートを保持するように構成されている、第１凸部及び第１凹部を備えており、
第２内面が、前記清掃シートを保持するように構成されている、第１凸部及び第１凹部にそれぞれ対応する第２凹部及び第２凸部を備えている、
ことを特徴とする、前記清掃ヘッド。
【請求項２】
前記開閉端が、前記清掃ヘッドの前記短手方向の端部に配置されている、請求項１に記載の清掃ヘッド。
【請求項３】
前記回転端が、前記清掃ヘッドの前記短手方向の端部に配置されている、請求項１又は２に記載の清掃ヘッド。
【請求項４】
前記清掃ヘッドが、前記長手方向の一方又は両方の端部に、前記挟持部を展開するための窪み部であって、第１挟持部分及び第２挟持部分に渡って存在するものを備えている、請求項１〜３のいずれか一項に記載の清掃ヘッド。
【請求項５】
第１挟持部分が、第１外面を構成する第１軟質部材と、第１内面を構成する第１硬質部材とを備えているとともに、第２挟持部分が、第２外面を構成する第２軟質部材と、第２内面を構成する第２硬質部材とを備えており、
前記窪み部の底部が、少なくとも第１硬質部材及び第２硬質部材から構成されている、
請求項４に記載の清掃ヘッド。
【請求項６】
第１スリット部が、第１凸部に配置されており、そして／又は第２スリット部が、第２凸部に配置されている、請求項１〜５のいずれか一項に記載の清掃ヘッド。
【請求項７】
第１外面及び第２外面が、それぞれ、第１清掃面及び第２清掃面を構成している、請求項１〜６のいずれか一項に記載の清掃ヘッド。
【請求項８】
第１挟持部分及び第２挟持部分が、それぞれ、前記挟持部の前記閉鎖形態を保持するように構成された、お互いに嵌合する、嵌合用突起及び嵌合用窪みを備えており、
前記嵌合用突起が、前記長手方向に向かって突出しているとともに、前記長手方向に伸縮可能で有り、そして
前記嵌合用窪みが、前記長手方向に向かって窪んでいる、
請求項１〜７のいずれか一項に記載の清掃ヘッド。
【請求項９】
清掃シートを保持可能な清掃ヘッドを備える清掃具であって、
前記清掃ヘッドが、第１清掃面及び第２清掃面を有する板状の形状を有し、お互いに直交する、長手方向、短手方向及び厚さ方向を有し、
前記清掃ヘッドが、前記清掃シートの一方の端部及び他方の端部の少なくとも一方を挟持する挟持部であって、展開形態及び閉鎖形態をとることができるように構成されたものを備えており、
前記挟持部が、第１挟持部分と、第２挟持部分とを備えており、
第１挟持部分及び第２挟持部分が、前記長手方向に沿う方向に延びている挟持部回転軸を有する回転端により回転可能に連結されているとともに、前記長手方向に沿う方向に延びている開閉端により開閉可能に連結されており、
第１挟持部分が、第１内面及び第１外面を備えているとともに、第２挟持部分が、第２内面及び第２外面を備えており、
第１内面が、前記清掃シートの前記一方の端部を保持するための第１スリット部を有しており、そして／又は第２内面が、前記清掃シートの前記他方の端部を保持するための第２スリット部とを有しており、
第１内面が、前記清掃シートを保持するように構成されている、第１凸部及び第１凹部を備えており、
第２内面が、前記清掃シートを保持するように構成されている、第１凸部及び第１凹部にそれぞれ対応する第２凹部及び第２凸部を備えている、
ことを特徴とする、前記清掃具。
【請求項１０】
清掃シートの、前記清掃シートを保持可能な清掃ヘッドを備える清掃具への使用であって、
前記清掃ヘッドが、第１清掃面及び第２清掃面を有する板状の形状を有し、お互いに直交する、長手方向、短手方向及び厚さ方向を有し、
前記清掃ヘッドが、前記清掃シートの一方の端部及び他方の端部の少なくとも一方を挟持する挟持部であって、展開形態及び閉鎖形態をとることができるように構成されたものを備えており、
前記挟持部が、第１挟持部分と、第２挟持部分とを備えており、
第１挟持部分及び第２挟持部分が、前記長手方向に沿う方向に延びている挟持部回転軸を有する回転端により回転可能に連結されているとともに、前記長手方向に沿う方向に延びている開閉端により開閉可能に連結されており、
第１挟持部分が、第１内面及び第１外面を備えているとともに、第２挟持部分が、第２内面及び第２外面を備えており、
第１内面が、前記清掃シートの前記一方の端部を保持するための第１スリット部を有しており、そして／又は第２内面が、前記清掃シートの前記他方の端部を保持するための第２スリット部とを有しており、
第１内面が、前記清掃シートを保持するように構成されている、第１凸部及び第１凹部を備えており、
第２内面が、前記清掃シートを保持するように構成されている、第１凸部及び第１凹部にそれぞれ対応する第２凹部及び第２凸部を備えている、
ことを特徴とする、前記使用。